(57)【特許請求の範囲】
【請求項１】
先端にペン先を有する筆記具軸と、前記ペン先を含む前記筆記具軸の先端部分に着脱自在に装着されるキャップとを備えた筆記具であって、
前記ペン先を除く前記筆記具軸の先端部分の外周には外方へ突出する外方凸部が形成され、
前記キャップの内周には内方へ突出する内方凸部が形成され、
前記キャップが前記筆記具軸に装着されると、内方凸部が外方凸部の直後に位置することで前記キャップと前記筆記具軸とが係合するとともに、
前記内方凸部及び前記外方凸部のうちいずれか一方は、複数の突起である島状凸部が周方向に不等間隔に配列されてなるとともに、もう一方は周方向に連続する環状に形成されることを特徴とする筆記具。
【請求項２】
前記各島状凸部を含む仮想断面上で前記筆記具軸の軸心を通る対称軸に対して、前記各島状凸部が非対称に配列されていることを特徴とする請求項１記載の筆記具。
【請求項３】
前記内方凸部及び前記外方凸部のうちいずれか一方は３つ以上の前記島状凸部として形成されることを特徴とする請求項１又は２記載の筆記具。
【発明の詳細な説明】
【技術分野】
【０００１】
本発明は、ペン先を保護するキャップを備えた筆記具、及び後端部の消しゴム等を保護するキャップを備えた筆記具に関する。
【背景技術】
【０００２】
筆記具を使用しない場合に、ペン先を衝突から保護することやインクの乾燥を抑制すること等を目的として、筆記具軸の先端にキャップが装着されることがある。このようなキャップを設ける場合、筆記具軸の先端部分の外周には外方へ突出する外方凸部が設けられ、キャップの内周には内方へ突出する内方凸部が設けられる。そして、筆記具軸にキャップを装着する際に、弾性変形することにより内方凸部が外方凸部を乗り越えて、内方凸部が外方凸部に係合することによりキャップが脱落しないようになっている。内方凸部は、周方向に連続する環状の突条として形成することもできるが、複数の突起である島状凸部を周方向に等間隔に配列した形状に形成することもできる。
【０００３】
ところが、合成樹脂製のキャップでは、着脱を繰り返すうちに島状凸部にクラックが生じて外方凸部との係合が緩み、キャップが不必要に脱落するおそれがあった。このクラックの発生を防止するために、キャップの内周において金型のゲートに臨んだ箇所の軸方向における延長線上の位置に対向する位置から周方向へ適宜な角度だけ回転した位置に島状凸部を設けたキャップが開示されている（特許文献１参照）。また、筆記具軸にキャップを装着する際に外方凸部を乗り越えて係合する第１の島状凸部、及び外方凸部に当接する第２の島状凸部とを備えたキャップも開示されている（特許文献２参照）。
【先行技術文献】
【特許文献】
【０００４】
【特許文献１】特開平１０−２１１７９２号公報
【特許文献２】特開２００４−２０９６４８号公報
【発明の概要】
【発明が解決しようとする課題】
【０００５】
ところで、内方凸部及び外方凸部のうちいずれか一方を複数の島状凸部とし、他方を環状の突条として形成した場合に、キャップの着脱を繰り返すうちに、他方の凸部の一部が島状凸部との摩擦により著しく磨耗することがあった。そのため、他方の凸部の磨耗した部分と島状凸部とが合致すると、キャップが脱落しやすくなるという問題があった。
たとえば、特許文献１に記載されたキャップでは、４つの島状凸部が等間隔（９０°間隔）に配置されている。また、特許文献２に記載されたキャップでは、４つの第１の島状凸部が等間隔（９０°間隔）に配置されている。そして、キャップの着脱の仕方によっては、着脱を繰り返すうちに外方凸部の４箇所が著しく磨耗することがあった。これにより、４つの島状凸部と外方凸部の磨耗した４箇所とが合致すると、キャップが脱落しやすくなる。
【０００６】
また、内方凸部及び外方凸部のうちいずれか一方に等間隔に配列された島状凸部の数を増やすと、キャップと筆記具軸との係合を強めることができるが、他方の凸部と係合する箇所も増えることになる。そして、他方の凸部における島状凸部に応じた箇所が著しく磨耗した場合には、キャップが島状凸部の間隔分回転する度に島状凸部が他方の凸部の著しく磨耗した箇所に合致することになる。
たとえば、キャップに４つの島状凸部を設けた場合には筆記具軸における外方凸部の等間隔の４箇所が著しく磨耗することがあり、これによりキャップが９０°回転する度に４つの島状凸部と外方凸部の磨耗した４箇所とが合致することになる。また、キャップに８つの島状凸部を設けた場合には筆記具軸における外方凸部の等間隔の８箇所が著しく磨耗することがあり、これによりキャップが４５°回転する度に８つの島状凸部と外方凸部の磨耗した８箇所とが合致することになる。
【０００７】
したがって、内方凸部及び外方凸部のうちいずれか一方に等間隔に配列された島状凸部の数を増やしていくと、他方の凸部に著しい磨耗が生じた場合にこの磨耗した箇所と島状凸部とが合致するキャップの回転位置が増えることになり、かえってキャップが筆記具軸から脱落しやすくなる。
そこで、本発明は、内方凸部及び外方凸部のうち少なくとも一方を複数の島状凸部として形成された筆記具であって、他方の凸部に著しい磨耗が生じてもキャップが筆記具軸から脱落しにくい筆記具を提供することを目的とする。
【課題を解決するための手段】
【０００８】
上記の課題に鑑み、本発明は、
先端にペン先を有する筆記具軸20と、前記ペン先を含む前記筆記具軸20の先端部分に着脱自在に装着されるキャップ40とを備えた筆記具であって、
前記ペン先を除く前記筆記具軸20の先端部分の外周には外方へ突出する外方凸部24が形成され、
前記キャップ40の内周には内方へ突出する内方凸部43が形成され、
前記キャップ40が前記筆記具軸20に装着されると、内方凸部43が外方凸部24の直後に位置することで前記キャップ40と前記筆記具軸20とが係合するとともに、
前記内方凸部43及び前記外方凸部24のうちいずれか一方は、複数の突起である島状凸部60が周方向に不等間隔に配列されてなるとともに、もう一方は周方向に連続する環状に形成されることを特徴とする。
【０００９】
「筆記具」とは、たとえばボールペン、万年筆、フェルトペン、筆ペンなどが挙げられる。
「ペン先」とは、紙などの筆記媒体に文字や図などを筆記する部分を意味する。
「キャップ40」は、ペン先を含む筆記具軸20の先端部分に着脱自在に装着される。換言すると、キャップ40は、ペン先を含む筆記具軸20の先端部分に取り付けたり、取り外したりすることができる。
「外方凸部24」は、ペン先を除く筆記具軸20の先端部分の外周に形成される。換言すると、筆記具軸20の先端部分の外周におけるペン先以外の位置に形成される。
【００１０】
「内方凸部43が外方凸部24の直後に位置する」とは、内方凸部43が外方凸部24に隣接するとともに、外方凸部24よりも筆記具軸20の後端側に位置することを意味する。
具体的には、筆記具軸20の先端部分にキャップ40を被せていくと、内方凸部43が筆記具軸20の先端側から外方凸部43に接近して当接する。そして、筆記具軸20の先端部分にキャップ40を嵌め込んでいくと、内方凸部43が外方凸部24を乗り越えて外方凸部24の直後に到達する。これにより、内方凸部43が外方凸部24に係止するようになり、キャップ40が筆記具軸20から不意に外れないようになる。また、キャップ40と筆記具軸20とを引き離していくと、内方凸部43が筆記具軸20の先端側へ向けて外方凸部24を乗り越え、キャップ40を筆記具軸20から取り外すことができる。
【００１１】
前記内方凸部43及び前記外方凸部24のうちいずれか一方は前記複数の島状凸部60として形成されるとともに、もう一方は周方向に連続する環状に形成されることが望ましい。
つまり、内方凸部43を複数の島状凸部60として形成する場合には、外方凸部24を周方向に連続する環状に形成することになる。また、外方凸部24を複数の島状凸部60として形成する場合には、内方凸部43を周方向に連続する環状に形成することになる。
ここで、本発明においては、上記の構成に加えて、前記各島状凸部60を含む仮想断面上で前記筆記具軸20の軸心を通る対称軸に対して、前記各島状凸部60が非対称に配列されていることが望ましい。
内方凸部43が複数の島状凸部60からなる場合には、各島状凸部60が筆記具軸20の周方向に配列され、外方凸部24が複数の島状凸部60からなる場合には、各島状凸部60がキャップ40の周方向に配列される。したがって、内方凸部43又は外方凸部24における各島状凸部60を含む断面の存在を仮想することができる。この断面を「仮想断面」と称することにする。また、「対称軸」は、この仮想断面上に位置し、かつ、筆記具軸20の軸心を通る直線をいう。そして、内方凸部43又は外方凸部24における各島状凸部60は、いずれの対称軸に対して非対称に配列されていることが望ましい。つまり、内方凸部43又は外方凸部24における各島状凸部60が線対称となる対称軸は存在しないように各島状凸部60を配列することが望ましい。
【００１２】
さらに、本発明においては、上記の構成に加えて、前記内方凸部43及び前記外方凸部24のうちいずれか一方は少なくとも３つ以上の前記島状凸部60、より好ましくは５つ以上の前記島状凸部60として形成されることが望ましい。これにより、他方の凸部における磨耗の偏りを是正することができる。
【発明の効果】
【００１３】
本発明は、上述のように構成されているので、以下に記す効果を奏する。
すなわち、本発明によると、内方凸部及び外方凸部の少なくとも一方を複数の島状凸部とした場合に、この島状凸部を周方向に不等間隔に配列したことにより、キャップのある回転位置において他方の凸部に各島状凸部に応じた箇所に著しい磨耗が生じたとしても、その他の回転位置において磨耗した箇所と各島状凸部とが同時に合致する機会を減らすことができる。したがって、他方の凸部に著しい磨耗が生じても、キャップが筆記具軸から脱落しにくい筆記具を提供することができる。
【図面の簡単な説明】
【００１４】
【図１】本発明の第１の実施の形態に係るボールペンの一部断面正面図である。
【図２】本発明の第１の実施の形態に係る筆記具軸の正面図である。
【図３】本発明の第１の実施の形態に係るキャップの正面断面図である。
【図４】図３のＡ−Ａ線断面図である。
【図５】図３のＡ−Ａ線断面図である。
【図６】本発明の第１の実施の形態に係る筆記具軸にキャップを装着した状態を示す一部断面拡大正面図である。
【図７】本発明の第２の実施の形態に係るボールペンの一部断面正面図である。
【図８】本発明の第２の実施の形態に係る筆記具軸及びキャップの一部断面正面図である。
【図９】本発明の第２の実施の形態に係る先端側軸筒部の正面断面図である。
【図１０】図９のＢ−Ｂ線断面図である。
【図１１】図９のＢ−Ｂ線断面図である。
【図１２】本発明の第２の実施の形態に係る筆記具軸にキャップを装着した状態を示す一部断面拡大正面図である。
【図１３】本発明の第３の実施の形態に係る筆記具軸及びキャップの一部断面正面図である。
【図１４】本発明の第３の実施の形態に係る先端側軸筒部の正面断面図である。
【図１５】図１４のＣ−Ｃ線断面図である。
【図１６】本発明の第３の実施の形態に係る筆記具軸にキャップを装着した状態を示す一部断面拡大正面図である。
【発明を実施するための形態】
【００１５】
（第１の実施の形態）
以下、本発明の第１の実施の形態を、図面を参照しつつ説明する。
図１に示すように、ボールペン10aは、先端にボールペンチップ22aを有する筆記具軸20aと、ボールペンチップ22aを含む筆記具軸20aの先端部分に着脱自在に装着されるキャップ40aとを備えている。
図２に示すように、筆記具軸20aは、合成樹脂製の筒状の軸筒21aを備えている。この軸筒21aの内部には、インクを収容したボールペンリフィルが挿着されている。また、軸筒21aの先端部分は、先端方向にかけて縮径した形状のテーパー部23aとなっている。このテーパー部23aの先端に形成された開口からボールペンリフィルのボールペンチップ22aが突出している。
【００１６】
テーパー部23aの直後には、周方向に連続する環状の段部25aが形成されている。段部25aは、外径がテーパー部23aよりも大きく形成されている。また、段部25aの直後には、外方へ突出する外方凸部24aが形成されている。本実施の形態に係る外方凸部24aは、周方向に連続する環状に形成されるとともに、外径が段部25aよりも大きく形成されている。さらに、軸筒21aにおける外方凸部24aの後方には、複数の滑り止め溝26aが形成されている。
図３に示すように、キャップ40aは、合成樹脂製の筒状のキャップ本体41aと、キャップ本体41aの先端に一部挿入された筒状の筒体44aと、キャップ本体41aより露出した筒体44aの先端部分からキャップ本体41aの後端の後方まで伸びたクリップ42aとを備えている。筒体44a及びクリップ42aは、合成樹脂によって一体に形成されている。
【００１７】
キャップ本体41aの内周には、筒体44aが挿入される挿入部と、挿入部の直後に挿入部よりも内径の大きい第１筒部46aと、第１筒部46aの直後に第１筒部46aよりも内径の大きい第２筒部47aと、第２筒部47aの直後に第２筒部47aよりも内径の大きい第３筒部48aとが形成されている。
第３筒部48aにおける先端側の位置、つまり第３筒部48aにおける第２筒部47a寄りの位置には、内方へ突出する内方凸部43aが形成されている。本実施の形態に係る内方凸部43aは、突起である６つの島状凸部60aからなっている。
ここで、キャップ40aにおいて各島状凸部60aを含み、かつ、筆記具軸20aの軸心に垂直な仮想断面は、図４及び図５に示すとおりである。図４に示すように、各島状凸部60aは、仮想断面上において、弦がキャップ本体41aの内周の一部を形成した弓形となるように内方に突出している。換言すると、仮想断面上において、キャップ本体41a内周の島状凸部60aのない部分は、同一の仮想円（図示せず）上に含まれており、各島状凸部60aは、弦の両端がこの仮想円上に位置し、かつ、弧がこの仮想円上に含まれた弓形となるように形成されている。なお、これら６つの島状凸部60aを、キャップ本体41aにおけるクリップ42aの設けられた位置を基準に時計回りの順序で第１島状凸部61a、第２島状凸部62a、第３島状凸部63a、第４島状凸部64a、第５島状凸部65a、第６島状凸部66aと称する（図４参照）。
【００１８】
また、これらの島状凸部60aは、ほぼ同一の形状に形成されているものの、キャップ本体41aの周方向に不等間隔に配列されている。また、仮想断面上で筆記具軸20aの軸心を通るいかなる対称軸に対しても、各島状凸部60aが非対称に配列されている。
具体的には、図５に示すように、仮想断面上において筆記具軸20aの軸心を通り、かつ、島状凸部60aを二等分する６本の仮想直線を想定する。これら６本の仮想直線のうち、第１島状凸部61aを二等分する直線を第１仮想直線71aとし、第２島状凸部62aを二等分する直線を第２仮想直線72aとし、第３島状凸部63aを二等分する直線を第３仮想直線73aとし、第４島状凸部64aを二等分する直線を第４仮想直線74aとし、第５島状凸部65aを二等分する直線を第５仮想直線75aとし、第６島状凸部66aを二等分する直線を第６仮想直線76aとする。そして、第１仮想直線71aと第２仮想直線72aとの角度は４５°に、第２仮想直線72aと第３仮想直線73aとの角度は３５°に、第３仮想直線73aと第４仮想直線74aとの角度は８５°に、第４仮想直線74aと第５仮想直線75aとの角度は７５°に、第５仮想直線75aと第６仮想直線76aとの角度は６５°に、第６仮想直線76aと第１仮想直線71aとの角度は５５°に設定されている。
【００１９】
図６に示すように、キャップ40aが筆記具軸20aに装着された状態では、各島状凸部60a（内方凸部43a）が外方凸部24aの直後に位置する。換言すると、各島状凸部60aが外方凸部24aに隣接するとともに、外方凸部24aよりも筆記具軸20aの後端側に位置する。
ここで、第３筒部48aの内方凸部43aにおける内周は、筆記具軸20aの外方凸部24aにおける外周よりも僅かに小径に形成されている。また、内方凸部43aを除く第３筒部48aの内周は、筆記具軸20aの外方凸部24aにおける外周とほぼ同径に形成されている。これにより、各島状凸部60a（内方凸部43a）が外方凸部24aに係止するため、キャップ40aが筆記具軸20aの先端部分から脱落しないようになっている。
【００２０】
また、キャップ40aと筆記具軸20aとを引き離す力が所定量以上加わると、弾性変形することにより各島状凸部60a（内方凸部43a）が外方凸部24aを乗り越えることができるように形成されている。したがって、筆記具軸20aの先端部分からキャップ40aを取り外すことができる。
（キャップの取り付け、取り外し）
図６を参照しつつ説明する。筆記具軸20aの先端部分にキャップ40aを被せていくと、内方凸部43aが筆記具軸20aの先端側から外方凸部24aに接近して当接する。そして、筆記具軸20aの先端部分にキャップ40aを嵌め込んでいくと、キャップ40aが弾性変形して内方凸部43aが外方凸部24aを乗り越えるとともに、テーパー部23aの先端が筒体44aに入り込む。こうして内方凸部43aが外方凸部24aの直後に到達して、内方凸部43aが外方凸部24aに係止することで、キャップ40aが筆記具軸20aから脱落しなくなる。
【００２１】
また、キャップ40aと筆記具軸20aとを引き離していくと、キャップ20aが弾性変形して内方凸部43aが外方凸部24aを乗り越えるとともに、テーパー部23aが筒体44aから抜け出す。こうして内方凸部43aが外方凸部24aから外れて、内方凸部43aが外方凸部24aの直前に到達することで、キャップ40aを筆記具軸20aから取り外すことができる。
以上のように第１の実施の形態は構成されているので、以下に記す効果を奏する。
すなわち、第１の実施の形態によると、キャップ40aの内方凸部43aを６つの島状凸部60aとし、この島状凸部60aをキャップ40aの周方向に不等間隔に配列した。また、各島状凸部60aを含むキャップ40aの仮想断面上で筆記具軸20aの軸心を通る対称軸に対して、各島状凸部60aを非対称に配列した。これにより、キャップ40aの或る回転位置において筆記具軸20aの外方凸部24aに各島状凸部60aに応じた箇所に著しい磨耗が生じたとしても、その他の回転位置において磨耗した箇所と各島状凸部60aとが同時に合致する機会をなくすことができる。したがって、筆記具軸20aの外方凸部24aに著しい磨耗が生じても、キャップ40aが筆記具軸20aから脱落しにくい筆記具を提供することができる。
【００２２】
（第２の実施の形態）
以下、本発明の第２の実施の形態を、図面を参照しつつ説明する。
図７に示すように、ボールペン10bは、先端にボールペンチップ22bを有する筆記具軸20bと、ボールペンチップ22bを含む筆記具軸20bの先端部分に着脱自在に装着されるキャップ40bとを備えている。
図８に示すように、筆記具軸20bは、合成樹脂製の筒状の軸筒21bを備えている。この軸筒21bの内部には、インクを収容したボールペンリフィルが挿着されている。第１の実施の形態に係る軸筒20aは、合成樹脂により一体に形成されているが、第２の実施の形態に係る軸筒20bは、先端側軸筒部27bと後端側軸筒部28bとが別体に形成されて両者を組み合わせるようになっている。また、先端側軸筒部27bにおける略中央の位置には、その外周を被覆する熱可塑性エラストマー製のグリップ26bが設けられている。
【００２３】
図８及び図９に示すように、軸筒21bの先端部分、つまり先端側軸筒部27bの先端部分は、先端方向にかけて縮径した形状のテーパー部23bとなっている。このテーパー部23bの先端に形成された開口からボールペンリフィルのボールペンチップ22bが突出している。
テーパー部23bの直後には、周方向に連続する環状の平坦部29bがテーパー部23bの後端と同一径に形成されている。また、平坦部29bの直後には、外方へ突出するとともに周方向に連続する環状の山部30bが形成されている。山部30bの外径は、平坦部29b及びグリップ26bの外径よりも大きく形成されている。また、山部30bにおける軸心方向略中央部分は、山部30bのうちで最も外径の大きい山頂部31bとなっている。
【００２４】
図９及び図１０に示すように、山部30bには、５つの凹部34bが形成されている。これらの凹部34bは、ほぼ同一の形状に形成されているものの、山部30bの周方向に不等間隔に配列されている。そして、本実施の形態では、山部30bにおいて隣り合う２つの凹部34bの間に位置する部分を、島状凸部60bとする。山部30bには凹部34bが５つ形成されていることから、島状凸部60bも５つ形成されることとなる。したがって、この５つの島状凸部60bが筆記具軸20bの外方凸部24bとなる。また、凹部34bが山部30bの周方向に不等間隔に配列されていることから、各島状凸部60ｂの周方向の長さは均一でない。
ここで、図１０に示すように、周方向の長さが最も長い島状凸部60bを第１島状凸部61bとし、山部30bにおいて第１島状凸部61bの反時計回り側に隣接する凹部34bを第１凹部35bとする。また、残りの４つの凹部34bを、第１凹部35bを基準に時計回りの順序で第２凹部36b、第３凹部37b、第４凹部38b、第５凹部39bと称する。つまり、第１凹部35bと第２凹部36bとの間の部分が第１島状凸部61bとなる。また、残りの４つの島状凸部60bを、第１島状凸部61bを基準に時計回りの順序で第２島状凸部62b、第３島状凸部63b、第４島状凸部64b、第５島状凸部65bと称する。したがって、第２凹部36bと第３凹部37bとの間の部分が第２島状凸部62bとなり、第３凹部37bと第４凹部38bとの間の部分が第３島状凸部63bとなり、第４凹部38bと第５凹部39bとの間の部分が第４島状凸部64bとなり、第５凹部39bと第１凹部35bとの間の部分が第５島状凸部65bとなる。
【００２５】
また、これらの島状凸部60bは、キャップ本体41bの周方向に不等間隔に配列されている。具体的には、図１１に示すように、仮想断面上において筆記具軸20bの軸心を通り、かつ、島状凸部60bを二等分する５本の仮想直線を想定する。これら５本の仮想直線のうち、第１島状凸部61bを二等分する直線を第１仮想直線71bとし、第２島状凸部62bを二等分する直線を第２仮想直線72bとし、第３島状凸部63bを二等分する直線を第３仮想直線73bとし、第４島状凸部64bを二等分する直線を第４仮想直線74bとし、第５島状凸部65bを二等分する直線を第５仮想直線75bとする。そして、第１仮想直線71bと第２仮想直線72bとの角度は８２．５°に、第２仮想直線72bと第３仮想直線73bとの角度は６７．５°に、第３仮想直線73bと第４仮想直線74bとの角度は６０°に、第４仮想直線74bと第５仮想直線75bとの角度は６７．５°に、第５仮想直線75bと第１仮想直線71bとの角度は８２．５°に設定されている。
【００２６】
なお、各島状凸部60bは、仮想断面上で第１仮想直線71bに対して線対称に配列されているものの、第１仮想直線71b以外の筆記具軸20bの軸心を通る対称軸に対して非対称に配列されている。
図８に示すように、キャップ40bは、先端側がドーム状に形成されたキャップ本体41bと、キャップ本体41bに設けられたクリップ42bとを備えている。クリップ42bは、キャップ本体41における先端寄りの部分に填め込まれた填め込み部と、キャップの外周に沿って長手方向に伸びたクリップ本体と、填め込み部及びクリップ本体を連結した連結部とを備えている。填め込み部、クリップ本体及び連結部は、合成樹脂によって一体に形成されている。
【００２７】
キャップ本体41bの内周は、軸筒21bにおける平坦部29bから先端側の部分を覆う先端側筒部51bと、軸筒21bの山部30b及びグリップ26bを覆う後端側筒部52bとに区別することができる。
後端側筒部52bにおける先端側の位置、つまり後端側筒部52bにおける先端側筒部51b寄りの位置には、内方へ突出する内方凸部43bが形成されている。本実施の形態に係る内方凸部43bは、キャップ本体41bにおいて周方向に連続する環状に形成されている。
図１２に示すように、キャップ40bが筆記具軸20bに装着された状態では、内方凸部43bが各島状凸部60b（外方凸部24b）の直後に位置する。換言すると、内方凸部43bが各島状凸部60bに隣接するとともに、各島状凸部60bよりも筆記具軸20bの後端側に位置する。
【００２８】
ここで、筆記具軸20bの外方凸部24bにおける外周、具体的には先端側軸筒部27bの山頂部31bにおける外周は、後端側筒部52bの内方凸部43bにおける内周よりも僅かに大径に形成されている。また、筆記具軸20bの外方凸部24bにおける外周は、内方凸部43bを除く後端側筒部52bの内周とほぼ同径に形成されている。これにより、内方凸部43bが各島状凸部60b（外方凸部24b）に係止するため、キャップ40bが筆記具軸20bの先端部分から脱落しないようになっている。
また、キャップ40bと筆記具軸20bとを引き離す力が所定量以上加わると、弾性変形することにより内方凸部43bが各島状凸部60b（外方凸部24b）を乗り越えることができるように形成されている。したがって、筆記具軸20bの先端部分からキャップ40bを取り外すことができる。
【００２９】
以上のように第２の実施の形態は構成されているので、以下に記す効果を奏する。
すなわち、第２の実施の形態によると、筆記具軸20bの外方凸部24bを５つの島状凸部60bとし、この島状凸部60bを筆記具軸20bの周方向に不等間隔に配列した。これにより、キャップ40bの或る回転位置において内方凸部43bに各島状凸部60bに応じた箇所に著しい磨耗が生じたとしても、その他の回転位置において磨耗した箇所と各島状凸部60bとが同時に合致する機会をなくすことができる。したがって、キャップ40bの内方凸部43bに著しい磨耗が生じても、キャップ40bが筆記具軸20bから脱落しにくい筆記具を提供することができる。
【００３０】
（第３の実施の形態）
以下、本発明の第３の実施の形態を、図面を参照しつつ説明する。
図１３に示すように、ボールペン10cは、先端にボールペンチップ22cを有する筆記具軸20cと、ボールペンチップ22cを含む筆記具軸20cの先端部分に着脱自在に装着されるキャップ40cとを備えている。筆記具軸20cは、合成樹脂製の筒状の軸筒21cを備えている。軸筒20cは、先端側軸筒部27cと後端側軸筒部28cとが別体に形成されて両者を組み合わせるようになっている。
ここで、第２の実施の形態では、先端側軸筒部27b（筆記具軸20b）の山部30bに複数の凹部34bを不等間隔に形成し、山部30bにおいて隣り合う凹部34bの間に位置する部分を島状凸部60bとした。これに対し、第３の実施の形態では、図１４ないし図１６に示すように、先端側軸筒部27c（筆記具軸20c）の山部30cに外方に突出した突起を島状凸部60cとして形成した。
【００３１】
そこで、第３の実施の形態では、第２の実施の形態との相違点を中心に説明する。
図１５には、筆記具軸20cにおいて各島状凸部60cを含み、かつ、筆記具軸20cの軸心に垂直な仮想断面を示した。山部30cには、６つの島状凸部60c（第１島状凸部61c、第２島状凸部62c、第３島状凸部63c、第４島状凸部64c、第５島状凸部65c及び第６島状凸部66c）が形成されている。この６つの島状凸部60cが筆記具軸20cの外方凸部24cとなる。
これらの島状凸部60cは、ほぼ同一の形状に形成されているものの、山部30cの周方向に不等間隔に配列されている。
具体的には、図１５に示すように、仮想断面上において筆記具軸20cの軸心を通り、かつ、島状凸部60cを二等分する６本の仮想直線（第１仮想直線71c、第２仮想直線72c、第３仮想直線73c、第４仮想直線74c、第５仮想直線75c及び第６仮想直線76c）を想定する。そして、第１仮想直線71cと第２仮想直線72cとの角度、第２仮想直線72cと第３仮想直線73cとの角度、及び第３仮想直線73cと第４仮想直線74cとの角度は、それぞれ４０°に設定されている。また、第４仮想直線74cと第５仮想直線75cとの角度、第５仮想直線75cと第６仮想直線76cとの角度、及び第６仮想直線76cと第１仮想直線71cとの角度は、それぞれ８０°に設定されている。
【００３２】
図１６に示すように、キャップ40cが筆記具軸20cに装着された状態では、内方凸部43cが各島状凸部60c（外方凸部24c）の直後に位置する。換言すると、内方凸部43cが各島状凸部60cに隣接するとともに、各島状凸部60cよりも筆記具軸20cの後端側に位置する。
また、先端側軸筒部27cの山頂部31cにおける外周は、後端側筒部52c（キャップ本体41c）の内方凸部43cにおける内周とほぼ同径に形成されている。また、先端側軸筒部27cの外方凸部24cにおける外周は、後端側筒部52cの内方凸部43cにおける内周よりも僅かに大径に形成されている。また、先端側軸筒部27cの外方凸部24cにおける外周は、内方凸部43cを除く後端側筒部52cの内周とほぼ同径に形成されている。これにより、内方凸部43cが各島状凸部60c（外方凸部24c）に係止するため、キャップ40cが筆記具軸20cの先端部分から脱落しないようになっている。
【００３３】
また、キャップ40cと筆記具軸20cとを引き離す力が所定量以上加わると、弾性変形することにより内方凸部43cが各島状凸部60c（外方凸部24c）を乗り越えることができるように形成されている。したがって、筆記具軸20cの先端部分からキャップ40cを取り外すことができる。
以上のように第３の実施の形態は構成されているので、以下に記す効果を奏する。
すなわち、第３の実施の形態によると、筆記具軸20cの外方凸部24cを６つの島状凸部60cとし、この島状凸部60cを筆記具軸20cの周方向に不等間隔に配列した。また、各島状凸部60cを含む筆記具軸20cの仮想断面上で筆記具軸20cの軸心を通る対称軸に対して、各島状凸部60cを非対称に配列した。これにより、キャップ40cの或る回転位置において内方凸部43cに各島状凸部60cに応じた箇所に著しい磨耗が生じたとしても、その他の回転位置において磨耗した箇所と各島状凸部60cとが同時に合致する機会をなくすことができる。したがって、キャップ40cの内方凸部43cに著しい磨耗が生じても、キャップ40cが筆記具軸20cから脱落しにくい筆記具を提供することができる。
【産業上の利用可能性】
【００３４】
本発明は、ボールペン、シャープペンシル、複式筆記具、万年筆、フェルトペン、筆ペンなどの筆記具への利用に適している。
【符号の説明】
【００３５】
10  ボールペン
20  筆記具軸                21  軸筒                    22  ボールペンチップ
23  テーパー部              24  外方凸部
25a  段部                   26a 滑り止め溝              26b グリップ
27b 先端側軸筒部            28b 後端側軸筒部            29b 平坦部
30b 山部                    31b 山頂部                  34b 凹部
40  キャップ                41  キャップ本体            42  クリップ
43  内方凸部
44a 筒体                    46a 第１筒部                47a 第２筒部
48a 第３筒部                51b 先端側筒部              52b 後端側筒部
60  島状凸部
【図１】
0005638851.tif 000002
【図２】
0005638851.tif 000003
【図３】
0005638851.tif 000004
【図４】
0005638851.tif 000005
【図５】
0005638851.tif 000006
【図６】
0005638851.tif 000007
【図７】
0005638851.tif 000008
【図８】
0005638851.tif 000009
【図９】
0005638851.tif 000010
【図１０】
0005638851.tif 000011
【図１１】
0005638851.tif 000012
【図１２】
0005638851.tif 000013
【図１３】
0005638851.tif 000014
【図１４】
0005638851.tif 000015
【図１５】
0005638851.tif 000016
【図１６】
0005638851.tif 000017